(57)【特許請求の範囲】
【請求項１】
基板間を接続するコネクタにおいて、
前記コネクタは、一方の基板に搭載されている一方のコネクタと、他方の基板に搭載されている他方のコネクタとから構成され、
前記一方の基板は、前記一方の基板の基板面の一部を凹ませるように形成された凹状部を有し、
前記他方の基板は、前記他方の基板の基板面の一部を突出させるように形成されて前記一方の基板と前記他方の基板とを相互に隣接させた際に前記一方の基板の前記凹状部内に収まる凸状部を有し、
前記一方のコネクタは、前記凹状部を跨いだ状態で前記一方の基板に設けられ、
前記他方のコネクタは、前記凸状部を有する前記他方の基板の基板面内に設けられ、
前記他方のコネクタと嵌合する前記一方のコネクタの嵌合部が前記凹状部と対向して位置するように、前記一方のコネクタが搭載され、
前記一方のコネクタと嵌合する前記他方のコネクタの少なくとも嵌合部が前記凸状部に位置するように、前記他方のコネクタが搭載され、
前記凹状部と前記凸状部とが嵌め合うように、それぞれの基板面と直交する方向から前記一方のコネクタと前記他方のコネクタとが嵌合することを特徴とする基板接続用コネクタ。
【請求項２】
前記一方のコネクタと前記他方のコネクタとの内、少なくとも一方は、コンタクトと前記コンタクトを保持するハウジングとを有し、
前記ハウジングは、第１ハウジングと第２ハウジングとから構成され、
前記コンタクトは、前記第１ハウジングへの第１保持部と、前記第２ハウジングへの第２保持部と、前記第２ハウジングに配設される接触部と、前記第１保持部と前記第２保持部との間に設けられている屈曲部とを有し、
前記屈曲部により前記第１ハウジングと前記第２ハウジングとが相対的に移動可能に構成されることを特徴とする請求項１記載の基板接続用コネクタ。
【発明の詳細な説明】
【技術分野】
【０００１】
本発明は、一方の基板と他方の基板間を接続する基板接続用コネクタに関し、詳しくは、基板同士が同一平面に位置するように基板間を接続する基板接続用コネクタに関する。
【背景技術】
【０００２】
従来の第１のコネクタについて、本出願前に頒布された刊行物を引用して説明する（例えば、特許文献１参照。）。
【０００３】
２枚の基板を接続するとき、それぞれの基板にコネクタを搭載し、両コネクタを中継コネクタによって接続する。
【０００４】
従来の第２のコネクタについて、本出願前に頒布された刊行物を引用して説明する（例えば、特許文献２参照。）。
【０００５】
１枚の基板上にコネクタを前記基板から突出しないように搭載する。他の１枚の基板上に他のコネクタを当該基板から突出するように搭載する。両コネクタは、両基板の板面方向に嵌合する。
【０００６】
【特許文献１】特開２００３−１００３９４号公報
【特許文献２】特開２００７−２６６８１号公報
【発明の開示】
【発明が解決しようとする課題】
【０００７】
従来の第１のコネクタは、両コネクタを接続するために余分な中継コネクタの使用を必要とするので、部品点数が増加する欠点が生じる。
【０００８】
従来の第２のコネクタは、他の１枚の基板上に他のコネクタを当該基板から突出するように搭載するので、重量バランスが不都合（コネクタを基板に搭載し、半田付けするまでの間、コネクタが倒れたり、傾いたりする不都合）であり、また、両基板の板面方向に嵌合するため、作業がし難いという欠点が生じる。
【０００９】
そこで、本発明は、両従来の技術の欠点を改良し、部品点数の増加を防止し、また、重量バランスが好都合で、更に、作業性が簡易な基板接続用コネクタを提供しようとするものである。
【課題を解決するための手段】
【００１０】
本発明は、前記課題を解決するため、次の手段を採用する。なお、構成の次に括弧を付して実施例の部材又は部位の符号を記入する。
【００１１】
１．基板間を接続するコネクタにおいて、前記コネクタは、一方の基板（１１，３１，５１）に搭載されている一方のコネクタ（１，２１，４１）と、他方の基板（１２，３２，５２）に搭載されている他方のコネクタ（６，２６，４６）とから構成され、前記一方の基板（１１，３１，５１）は、前記一方の基板（１１，３１，５１）の基板面の一部を凹ませるように形成された凹状部（１１ａ，３１ａ，５１ａ）を有し、
前記他方の基板（１２，３２，５２）は、前記他方の基板（１２，３２，５２）の基板面の一部を突出させるように形成されて前記一方の基板（１１，３１，５１）と前記他方の基板（１２，３２，５２）とを相互に隣接させた際に前記一方の基板（１１，３１，５１）の前記凹状部（１１ａ，３１ａ，５１ａ）内に収まる凸状部（１２ａ，３２ａ，５２ａ）を有し、前記一方のコネクタ（１，２１，４１）は、前記凹状部（１１ａ，３１ａ，５１ａ）を跨いだ状態で前記一方の基板（１１，３１，５１）に設けられ、前記他方のコネクタ（６，２６，４６）は、前記凸状部（１２ａ，３２ａ，５２ａ）を有する前記他方の基板（１２，３２，５２）の基板面内に設けられ、前記他方のコネクタと嵌合する前記一方のコネクタの嵌合部（１ａ，２１ａ）が前記凹状部と対向して位置するように、前記一方のコネクタが搭載され、前記一方のコネクタと嵌合する前記他方のコネクタの少なくとも嵌合部（６ａ，２６ａ）が前記凸状部に位置するように、前記他方のコネクタが搭載され、前記凹状部と前記凸状部とが嵌め合うように、それぞれの基板面と直交する方向から前記一方のコネクタと前記他方のコネクタとが嵌合する基板接続用コネクタ。
【００１２】
２．前記一方のコネクタと前記他方のコネクタとの内、少なくとも一方は、コンタクト（２３）と前記コンタクトを保持するハウジング（２２，２２ａ）とを有し、前記ハウジングは、第１ハウジング（２２）と第２ハウジング（２２ａ）とから構成され、前記コンタクトは、前記第１ハウジングへの第１保持部（２３ｄ）と、第２ハウジングへの第２保持部（２３ｅ）と、前記第２ハウジングに配設される接触部（２３ｂ）と、前記第１保持部と前記第２保持部との間に設けられている屈曲部（２３ｃ）とを有し、前記屈曲部により前記第１ハウジングと前記第２ハウジングとが相対的に移動可能に構成される前記１記載の基板接続用コネクタ。
【発明の効果】
【００１３】
明細書の説明から明らかなように、本発明は、次の効果を奏する。
【００１４】
１．一方の基板の端部に凹状部が形成され、他方の基板の端部に凹状部に対応して凸状部が形成され、他方のコネクタと嵌合する一方のコネクタの嵌合部が凹状部と対向して位置するように、一方のコネクタが搭載され、一方のコネクタと嵌合する他方のコネクタの嵌合部が凸状部に位置するように、前記他方のコネクタが搭載されるので、安定した搭載とコネクタの嵌合が行われる。
【００１５】
２．凹状部と凸状部とが嵌め合わせられるから、両コネクタは、基板の板面と垂直に嵌合するので、作業が簡易に行われる。
【００１６】
３．中継コネクタ等の余分な部品が不要であるので、部品点数の増加を防止することができる。
【００１７】
４．各コネクタが各基板から突出しないので、重量バランスは好都合である。
【発明を実施するための最良の形態】
【００１８】
本発明の３つの実施例の基板接続用コネクタ（以下「コネクタ」ということがある。）について説明する。
【実施例１】
【００１９】
本発明の実施例１について図１〜図８を参照して説明する。
【００２０】
図１は、実施例１の基板１１，１２にそれぞれ搭載されたコネクタ１，６の斜視図であり、コネクタ１，６が嵌合する前の状態である。
【００２１】
コネクタ１が実装される基板１１には、凹状部１１ａが形成されている。コネクタ１は、凹状部１１ａを覆うように搭載される。コネクタ１のハウジング２には、多数の端子３（図３参照）とコネクタ１を基板１１に固定するための一対の補強具４が取り付けられている。一対の補強具４は、凹状部１１ａの両側に設けられたパッド１１ｂと半田付けされる。（図６参照）
【００２２】
コネクタ６が搭載される基板１２には、凸状部１２ａが形成されている。コネクタ６は、少なくとも嵌合部６ａ（図５参照）が凸状部１２ａに搭載される。コネクタ６のハウジング７には、多数の端子８と、コネクタ６を基板１２に固定し、基板１２のパッド（図示せず）に半田付けされる一対の補強具９が取り付けられている。
【００２３】
コネクタ１をコネクタ６に対して矢印に示されるように基板面と直交する方向に嵌合すると、基板１１，１２は、接続される。
【００２４】
図２は、基板１１，１２にそれぞれ搭載されたコネクタ１，６が嵌合したときの斜視図である。
【００２５】
図３は、基板１１に搭載されたコネクタ１の表面側から見た斜視図である。ハウジング２に取り付けられている多数の端子３が、１列に所定のピッチで並んでいる。各端子３の半田付け部３ａが、基板１１の凹状部１１ａに沿って基板１１のパッド（図示せず）と半田付けされる。
【００２６】
図４は、基板１１に搭載されたコネクタ１の裏面側から見た斜視図である。基板１１の凹状部１１ａにコネクタ１の一方の嵌合部１ａが基板１１側に向けて配置されている。
【００２７】
図５は、基板１２に搭載されたコネクタ６の表面側から見た斜視図である。基板１２の凸状部１２ａにコネクタ６の他方の嵌合部６ａが配置されるように搭載されている。
【００２８】
図６は、基板１１，１２にそれぞれ搭載されたコネクタ１，６が嵌合したときの斜視図である。ただし、コネクタ１の端子３とコネクタ６の端子８との嵌合状態を断面図で示す。端子８には、基板１２のパッド１２ｂに半田付けされる半田付け部８ａが設けられている。
【００２９】
図７は、コネクタ１，６が嵌合する前の端子３，８の部分の断面図である。
【００３０】
コネクタ１のハウジング２に取り付けられる端子３には、半田付け部３ａと、コネクタ６の端子８の接触部８ｂと接触する接触部３ｂが設けられている。コネクタ６のハウジング７に取り付けられる端子８には、基板１２に半田付けされる半田付け部８ａと、コネクタ１の端子３の接触部３ｂと接触する接触部８ｂが設けられている。接触部８ｂには、相手側の接触部３ｂと接続する接点部８ｃが設けられている。
【００３１】
図８は、コネクタ１，６の嵌合状態における端子３，８の部分の断面図である。
【００３２】
実施例１においては、接触部３ｂは弾性変形せずに、接触部８ｂが弾性変形するが、逆に代わるように設計変更することができる。
【実施例２】
【００３３】
本発明の実施例２について図９〜図１６を参照して説明する。
【００３４】
図９は、実施例２の基板３１，３２にそれぞれ搭載されたコネクタ２１，２６の斜視図であり、コネクタ２１，２６が嵌合する前の状態である。
【００３５】
コネクタ２１が搭載される基板３１には、凹状部３１ａが形成されている。コネクタ２１は、凹状部３１ａを覆うように搭載される。コネクタ２１のハウジング２２には、多数の端子２３（図１１参照）と一対の補強具２４が取り付けられている。ハウジング２２内には、嵌合ハウジング２２ａが収容されている。
【００３６】
コネクタ２６が搭載される基板３２には、凸状部３２ａが形成されている。コネクタ２６は、少なくとも嵌合部２６ａが凸状部３２ａに搭載される。コネクタ２６のハウジング２７には、多数の端子２８と一対の補強具２９が取り付けられている。
【００３７】
図１０は、基板３１，３２にそれぞれ搭載されたコネクタ２１，２６が嵌合したときの斜視図である。
【００３８】
図１１は、基板３１に搭載されたコネクタ２１の表面側から見た斜視図である。ハウジング２２に取り付けられている多数の端子２３が、１列に所定のピッチで並んでいる。各端子２３の半田付け部２３ａが、基板３１の凹状部３１ａに沿って半田付けされる。
【００３９】
図１２は、基板３１に搭載されたコネクタ２１の裏面側から見た斜視図である。基板３１の凹状部３１ａにコネクタ２１の一方の嵌合部２１ａが基板３１側に向けて配置されている。一方の嵌合部２１ａは、嵌合ハウジング２２ａに形成されている。
【００４０】
図１３は、基板３２に搭載されたコネクタ２６の表面側から見た斜視図である。基板３２の凸状部３２ａにコネクタ２６の他方の嵌合部２６ａが配置されるように搭載されている。
【００４１】
図１４は、基板３１，３２にそれぞれ搭載されたコネクタ２１，２６が嵌合したときの斜視図である。ただし、コネクタ２１の端子２３とコネクタ２６の端子２８との嵌合状態を断面図で示す。
【００４２】
図１５は、コネクタ２１，２６が嵌合する前の端子２３，２８の部分の断面図である。
【００４３】
コネクタ２１のハウジング２２及び嵌合ハウジング２２ａに取り付けられる端子２３には、基板３１に半田付けされる半田付け部２３ａと、コネクタ２６の端子２８の接触部２８ｂと接触する接触部２３ｂが設けられている。また、端子２３には、ハウジング２２と嵌合ハウジング２２ａを弾性的につなぐ屈曲部２３ｃがＳ字形状に形成されている。端子２３には、ハウジング２２への第１保持部２３ｄと嵌合ハウジング２２ａへの第２保持部２３ｅとが設けられている。ハウジング２２と嵌合ハウジング２２ａは、屈曲部２３ｃの弾性によって相対的に動くことができる。したがって、基板３１，３２への搭載のずれ等により生じるコネクタ２１，２６の嵌合時の負荷が軽減され、また、コネクタ２１，２６の破損や半田付けの破損が防止される。
【００４４】
コネクタ２６のハウジング２７に取り付けられる端子２８には、基板３２に半田付けされる半田付け部２８ａと、コネクタ２１の端子２３の接触部２３ｂと接触する接触部２８ｂが設けられている。
【００４５】
図１６は、コネクタ２１，２６の嵌合状態における端子２３，２８の部分の断面図である。
【００４６】
実施例２においては、接触部２３ｂは弾性変形せずに、接触部２８ｂが弾性変形するが、逆に代わるように設計変更することができる。
【実施例３】
【００４７】
本発明の実施例３について図１７〜図１９を参照して説明する。
【００４８】
図１７は、実施例３の基板５１，５２にそれぞれ搭載されたコネクタ４１，４６の斜視図であり、コネクタ４１，４６が嵌合する前の状態である。
【００４９】
コネクタ４１が搭載される基板５１には、凹状部５１ａが形成されている。コネクタ４１は、凹状部５１ａを覆うように搭載される。コネクタ４１のハウジング４２には、端子４３と補強具４４が取り付けられている。端子４３は接触部４３ａが平板状に形成され、ハウジング４２の内壁から突出するように配設されている。
【００５０】
コネクタ４６が搭載される基板５２には、凸状部５２ａが形成されている。コネクタ４６は、少なくとも嵌合部４６ａが凸状部５２ａに搭載される。コネクタ４６のハウジング４７には、端子４８と補強具４９が取り付けられている。
【００５１】
図１８は、基板５１に実装されたコネクタ４１の裏面側から見た斜視図である。端子４８は、接触部４８ａが平板状でかつ湾曲状に形成されることによりばね性を有するように形成されている。また、接触部４８ａは、ハウジング４７に設けられた複数の溝４７ａに配設され、相手側の接触部４３ａを溝４７ａ内に挿入することにより接続される。基板５１の凹状部５１ａにコネクタ４１の各端子４３が基板５１側に向けて配置されている。
【００５２】
図１９は、基板５１に実装されたコネクタ４１の表面側から見た斜視図である。
【００５３】
実施例３においては、各端子４３又は各端子４８のいずれが雄端子であるか雌端子であるかを問わない。
【図面の簡単な説明】
【００５４】
【図１】本発明の実施例１の両基板にそれぞれ搭載された両コネクタの斜視図であり、両コネクタが嵌合する前の状態である。
【図２】同両基板にそれぞれ搭載された同両コネクタが嵌合したときの斜視図である。
【図３】同両基板の一方に搭載された同両コネクタの一方の表面側から見た斜視図である。
【図４】同両基板の一方に搭載された同両コネクタの一方の裏面側から見た斜視図である。
【図５】同両基板の他方に搭載された同両コネクタの他方の表面側から見た斜視図である。
【図６】同両基板にそれぞれ搭載された同両コネクタが嵌合したときの斜視図である。
【図７】同両コネクタが嵌合する前の両端子の部分の断面図である。
【図８】同両コネクタの嵌合状態における同両端子の部分の断面図である。
【図９】本発明の実施例２の両基板にそれぞれ搭載された両コネクタの斜視図であり、同両コネクタが嵌合する前の状態である。
【図１０】同両基板にそれぞれ搭載された同両コネクタが嵌合したときの斜視図である。
【図１１】同両基板の一方に搭載された同両コネクタの一方の表面側から見た斜視図である。
【図１２】同両基板の一方に搭載された同両コネクタの一方の裏面側から見た斜視図である。
【図１３】同両基板の他方に搭載された同両コネクタの他方の表面側から見た斜視図である。
【図１４】同両基板にそれぞれ搭載された同両コネクタが嵌合したときの斜視図である。ただし、一方のコネクタの端子と他方のコネクタの端子との嵌合状態を断面図で示す。
【図１５】同両コネクタが嵌合する前の同両端子の部分の断面図である。
【図１６】同両コネクタの嵌合状態における同両端子の部分の断面図である。
【図１７】本発明の実施例３の両基板にそれぞれ搭載された両コネクタの斜視図であり、同両コネクタが嵌合する前の状態である。
【図１８】同両基板の一方に搭載された同両コネクタの一方の裏面側から見た斜視図である。
【図１９】同両基板の一方に搭載された同両コネクタの一方の表面側から見た斜視図である。
【符号の説明】
【００５５】
１  基板接続用コネクタ、コネクタ
１ａ  嵌合部
２  ハウジング
３  端子
３ａ  半田付け部
３ｂ  接触部
４  補強具
６  基板接続用コネクタ、コネクタ
６ａ  嵌合部
７  ハウジング
８  端子
８ａ  半田付け部
８ｂ  接触部
８ｃ  接点部
９  補強具
１１  基板
１１ａ  凹状部
１１ｂ  パッド
１２  基板
１２ａ  凹状部
１２ｂ  パッド
２１  コネクタ
２１ａ  嵌合部
２２  ハウジング（第１ハウジング）
２２ａ  嵌合ハウジング（第２ハウジング）
２３  端子
２３ａ  半田付け部
２３ｂ  接触部
２３ｃ  屈曲部
２３ｄ  第１保持部
２３ｅ  第２保持部
２４  補強具
２６  コネクタ
２６ａ  嵌合部
２７  ハウジング
２８  端子
２８ａ  半田付け部
２８ｂ  接触部
２９  補強具
３１  基板
３１ａ  凹状部
３２  基板
３２ａ  凸状部
４１  コネクタ
４２  ハウジング
４３  端子
４３ａ
４４  補強具
４６  コネクタ
４６ａ  嵌合部
４７  ハウジング
４７ａ  溝
４８  端子
４８ａ  接触部
４９  補強具
５１  基板
５１ａ  凹状部
５２  基板
５２ａ  凸状部
【図１】
0004480184.tif 000002
【図２】
0004480184.tif 000003
【図３】
0004480184.tif 000004
【図４】
0004480184.tif 000005
【図５】
0004480184.tif 000006
【図６】
0004480184.tif 000007
【図７】
0004480184.tif 000008
【図８】
0004480184.tif 000009
【図９】
0004480184.tif 000010
【図１０】
0004480184.tif 000011
【図１１】
0004480184.tif 000012
【図１２】
0004480184.tif 000013
【図１３】
0004480184.tif 000014
【図１４】
0004480184.tif 000015
【図１５】
0004480184.tif 000016
【図１６】
0004480184.tif 000017
【図１７】
0004480184.tif 000018
【図１８】
0004480184.tif 000019
【図１９】
0004480184.tif 000020